(57)【要約】【課題】  画像読取装置の光学部品である被締結部材をネジを用いて締結するに際して、ネジ締め付け時の回転力が被締結部材に伝達することを抑止して締結時の再調整をなくし作業性を容易とする。【解決手段】  締結用部材１２の平坦部の先端において、直角に屈曲された直角屈曲部２４を設け、また平坦部の他端において、鈍角に屈曲された鈍角屈曲部１９を設ける。そして、平坦部と鈍角屈曲部とにまたがってネジの挿通穴２１を設ける。被締結部材をネジにより締結する際には、ネジと被締結部材との間に、この締結用部材１２を挟んで設け、直角屈曲部２４が他の固定部材にあたるようにしておく。これにより、ネジ締め付け時の回転力が被締結部材に伝達されなくなり、被締結部材が調整位置から動かなくなるので、再調整が不要になる。また、鈍角屈曲部１９により、ネジを仮止め状態とすることができるので、微調整が可能である。【選択図】      図１
2008095783.tif 000002
【特許請求の範囲】
【請求項１】
ネジを用いて被締結部材を締結するに際して前記ネジと前記被締結部材との間に設けられる締結用部材であって、
平坦部と、この平坦部の先端において直角に屈曲された直角屈曲部と、前記平坦部の他端において鈍角に屈曲された鈍角屈曲部と、前記平坦部と前記鈍角屈曲部とにまたがって設けられ前記ネジの挿通穴とを有することを特徴とする締結用部材。
【請求項２】
前記平坦部の両側縁に設けられた立上がり部を、更に有することを特徴とする請求項１記載の締結用部材。
【請求項３】
前記平坦部において接着剤を挿入する穴を、更に含むことを特徴とする請求項１または２記載の締結用部材。
【請求項４】
前記被締結部材の締結に際して、前記直角屈曲部が固定部材にあたって前記ネジの回転力を前記被締結部材への伝達を抑止するようにしたことを特徴とする請求項１〜３いずれか記載の締結用部材。
【請求項５】
前記被締結部材は画像読取装置のＣＣＤ用の基板であり、この基板の締結に請求項１〜４いずれか記載の締結用部材を用いたことを特徴とする締結機構。
【発明の詳細な説明】
【技術分野】
【０００１】
本発明は締結用部材及びそれを用いた締結機構に関し、特に画像読取装置において取り付け精度が要求される光学部品の締結に用いて好適な締結用部材及びそれを用いた締結機構に関するものである。
【背景技術】
【０００２】
複写機などの画像読取装置においては、図７にその概略縦断面図を示す如く、筐体３０内において、光学モジュール１がローラ３１及びベルト３２により移動自在となっており、この可動式の光学モジュール１は、光源２、ミラー７及びレンズユニット３を有している。そして、レンズユニット３には、レンズ８及びＣＣＤ（Charge Coupled Device ）９が設けられている。なお、６は原稿載置用のガラスである。
【０００３】
図８はこの可動式光学モジュール１の詳細を示す断面図であり、図７と同等部分は同一符号により示されている。図８に示すように、光学モジュール１は光源２の光１１をガラス６の読取原稿面４で反射させ、その反射光を複数のミラー７（図７では簡単化のために２個のミラーとして示しており、図８では４個のミラーとして示している）により順次反射させてレンズ８により集光して、ＣＣＤ９の受光面上に画像を投影させて電気信号に変換するという、一連の動作を行うようになっている。なお、１０はＣＣＤ９を取付けるＣＣＤ基板である。
【０００４】
レンズユニット３は、上述した如く、光１１を電気信号に変換するＣＣＤ９と光１１を集光するレンズ８とからなる画像読取デバイスであり、その取付構造を図９に示している。図９において、レンズ８はレンズプレート１６に対して、レンズ押え１７により締結されており、ＣＣＤ９（図９には現われない）を有するＣＣＤ基板１０はＣＣＤプレート１５に、ネジ１３を用いて締結されている。ＣＣＤ基板１０とＣＣＤプレート１５とを締結する際には、画像要求規格を満足する必要があるために、読取原稿面４、レンズ８、ＣＣＤ基板１０の各部品間を、焦点距離が合致するように調整する必要が生ずる。
【０００５】
そのために、ＣＣＤ基板１０やＣＣＤプレート１５は、矢印Ａで示す上下方向や、矢印Ｃで示す前後方向や、更には、図面とは垂直な方向である左右方向などに、調整自在な機構となるようになっている。これらの部品の調整を行って、焦点が合致したところで、ネジ１３を用いて固定するようになっている。
【０００６】
従来のこの組立工程では、ＣＣＤを有するＣＣＤ基板１０とＣＣＤプレート１５とを締結するために、直接、ＣＣＤ基板１０にネジ１３をあてて固定するようになっている。すなわち、焦点距離を精度良く調整した後に、ネジ１３を用いて締め付け、固定するようになっているが、その際には、図１０に示すように、ネジ１３はあるトルクａにより締め付けられるので、ネジ１３と被締結部材であるＣＣＤ基板１０との間の摩擦力によって、締め付け回転力ａがＣＣＤ基板１０に伝達される。ＣＣＤ基板１０に伝達された回転力ａは、ＣＣＤ基板１０を下方向ｂへ若干移動させるか歪ませることになる。
【０００７】
このことは、高精度に調整されたレンズユニット３の焦点位置が微妙にずれて、調整を悪化させる要因になっている。このために、一度締めたネジ１３を再度緩めて再調整し直して、再度ネジ１３を締め直すという作業を、何度か繰返して、画像要求仕様を満足するように焦点位置調整を行っている。
【０００８】
ここで、特許文献１を参照すると、複数の構成部材をボルトにより締結する際に、各構成部品のボルト穴の周囲（上下、左右）に長方形のほぞ穴を設けておき、これらほぞ穴と嵌合する爪を有する結合部材を用いて、各構成部品及び結合部材とを組合わせ、ボルトにより締結する構造が開示されている。こうすることにより、各構成部品間の位置合せを容易にし、組み立て誤差を極力なくして作業性の向上を図ると共に、ボルトの回転力を構成部品へ伝えないというものである。
【０００９】
【特許文献１】実開昭６１−５７２０９号公報
【発明の開示】
【発明が解決しようとする課題】
【００１０】
上述した特許文献１に開示された構造を、先述した複写機などの画像読取装置における光学モジュール１のレンズユニット３での組立てに適用することはできない。その理由を以下に述べる。図８〜図１０を用いて説明したように、ＣＣＤ基板１０とＣＣＤプレート１５とを、ネジ１３を用いて締結する場合に、ネジ１３の回転力がＣＣＤ基板１０へ伝達されて、高精度に調整されたレンズユニット３の焦点位置が微妙にずれるので、ネジ１３を仮止め状態で、ＣＣＤ基板１０の位置調整を行うことが必要であるが、特許文献１の構造では、ネジ１３に相当するボルトを仮止め状態とする機構はないので、光学ユニットの光学調整の用途には不適である。
【００１１】
また、ネジ１３によりＣＣＤ基板１０とＣＣＤプレート１５とを締結した後に、両者をより強固に固着するためには接着剤などを用いる必要があるが、特許文献１の技術では、接着剤を流し込むための配慮などはなされていないので、これまた、光学ユニットの光学調整の用途には不適である。
【００１２】
なお、図７〜図１０を用いて説明した従来構造の欠点を整理すると、ネジ１３を締めることにより、レンズユニット３の焦点位置がずれるので、再調整が必要になって、光学的な調整時間が延び、また作業者の調整スキルも高いものが要求されることになる。また、ネジ１３を何度も締め直すことで、ＣＣＤ基板などが歪んだり、傷んだり、破損したりして、ネジも不良となる。
【００１３】
そこで、本発明はこの様な従来技術の欠点を解消すべくなされたものであって、その目的とするところは、光学的な調整時間を短縮でき、熟練者でなくても容易に調整が可能でかつ光学調整に好適な締結用部材及びそれを用いた締結機構を提供することである。
【課題を解決するための手段】
【００１４】
本発明による締結用部材は、ネジを用いて被締結部材を締結するに際して前記ネジと前記被締結部材との間に設けられる締結用部材であって、平坦部と、この平坦部の先端において直角に屈曲された直角屈曲部と、前記平坦部の他端において鈍角に屈曲された鈍角屈曲部と、前記平坦部と前記鈍角屈曲部とにまたがって設けられ前記ネジの挿通穴とを有することを特徴とする。
【００１５】
そして、前記平坦部の両側縁に設けられた立上がり部を、更に有することを特徴とし、また、前記平坦部において接着剤を挿入する穴を、更に含むことを特徴とする。また、前記被締結部材の締結に際して、前記直角屈曲部が固定部材にあたって前記ネジの回転力を前記被締結部材への伝達を抑止するようにしたことを特徴とする。
【００１６】
本発明による締結機構は、前記被締結部材が画像読取装置のＣＣＤ用の基板であり、この基板の締結に上記の締結用部材を用いたことを特徴とする。
【発明の効果】
【００１７】
本発明によれば、光学ユニットの部品組立てに際して、光学的な再調整が不要となるので、組立て時間の短縮、調整時間の短縮、作業者のスキルの不要、部品の劣化や破損の防止などが可能となるという効果がある。また、部品の組立て中にネジの仮止めができるので、微小な調整が可能になり、更には接着剤を流し込むことができるようにしたので、半永久的な締結が可能になるという効果もある。
【発明を実施するための最良の形態】
【００１８】
以下に、本発明の実施の形態について図面を用いて説明する。図１は本発明の実施の形態による締結用部材１２を示す図であり、（Ａ）は斜視図、（Ｂ）は平面図、（Ｃ）は側面図をそれぞれ示す。この締結用部材１２は基本的にＬ字型の形状であり、一端には、９０°に屈曲された直角屈曲部２４を有し、他端には、直角屈曲部２４の屈曲方向とは反対方向に鈍角に屈曲された鈍角屈曲部１９を有している。
【００１９】
また、直角屈曲部２４と鈍角屈曲部１９との間の平坦部の両側縁には、この締結用部材１２の強度を高めるために、両側縁を折り曲げて得られた立ち上げ部２２，２３が設けられている。当該平坦部の略中央には、接着剤を流し込むための接着剤挿入穴２０が設けられており、また、当該平坦部と鈍角屈曲部１９との境界部分にはネジ挿通用の穴２１が両者をまたがるように設けられている。
【００２０】
この様な構造の締結用部材１２を用いて、レンズユニット３におけるＣＣＤ基板１０とＣＣＤプレート１５とを、ネジ１３を用いて締結する場合について、図２〜図６を用いて説明する。なお、図２〜図６において、図７〜図１０と同等部分には同一符号をもって示している。
【００２１】
レンズ８とＣＣＤ基板１０の焦点距離を精度良く調整し、焦点が合ったところで、ＣＣＤ基板１０をＣＣＤプレート１５に、ネジ１３により締結させるのであるが、このとき、このネジ１３とＣＣＤ基板１０との間に、図１に示した本実施の形態による締結用部材１２を挿入してネジ１３を締めるのである。このとき、図５に示すように、ネジ１３を締めるに伴って回転トルクａが発生し、ネジ１３と接触している締結用部材１２にこの回転トルクが伝達され、締結用部材１２が方向ｃの力を受けることになって、この方向ｃへ動こうとする。
【００２２】
しかしながら、このとき、締結用部材１２の直角屈曲部２４が、ＣＣＤ基板１０とは異なる固定部品であるＣＣＤカバー１４に当るので、方向ａの回転力は抑止されてそれ以上動くことはなくなる。結果的に、ネジ１３の締め付けによる固定に伴う回転力ａは、ネジ１３と非接触であるＣＣＤ基板１０に伝わることなく、ＣＣＤ基板１０とＣＣＤプレート１５との締結が可能になるのである。
【００２３】
仮に調整を要する場合には、ネジ１３を仮止め状態にして、締結用部材１２の鈍角屈曲部１９によって、図６に示すように、ネジ１３と締結用部材１２との間に押圧力ｄが発生し、小さな力でＣＣＤ基板１０を仮止めした状態で、図示せぬドライバなどを用いてＣＣＤ基板を叩いて移動させて微小な調整を行うことが可能になる。そして、ネジ１３による締結後には、接着剤挿入穴２０に接着剤を流し込んで、ネジ１３とＣＣＤ基板１０とを、直接接着させて半永久的に固着させることができることになる。
【００２４】
以上のことから、本発明の特徴を整理すると以下の如くなる。ネジ１３と、ＣＣＤ基板などの締結すべき被締結部材との間に、先端を直角に屈曲した略Ｌ字状の板金やモールドで作られた締結用部材（回転抑制部材でもある）１２を挟み、この直角屈曲部を他の固定された固定部材にあてて、締結用部材１２によって、ネジ１３による被締結部材への回転力の伝達を遮断（抑止）することを特徴としている。また、この締結用部材１２の平坦部には、その両側縁に立ち上げ部２２，２３を設けて、締結用部材１２の強度を上げるようにしたことを特徴としている。
【００２５】
更に、この締結用部材１２の他端に、鈍角に屈曲された鈍角屈曲部１９を設けて、ネジ１３の仮止め状態で、被締結用部材であるＣＣＤ基板１０の調整が可能になるようにしたことを特徴としている。更にはまた、ネジ１３による締結後に、接着剤挿入穴２０から接着剤を流し込むことにより、振動などによるネジ１３の緩みを防止できるので、信頼性を維持できるようにしたことを特徴としている。
【００２６】
なお、図２，３において、１６はレンズプレート、１７はレンズ押えであり、レンズ押え１７をレンズプレート１６に締結する際にも、本発明による締結用部材１２を用いて、ネジ１３の締め付けに起因する回転力をレンズ押え１７へ伝達しないようにしている。
【００２７】
上述した本発明による締結用部材は、ファクシミリ装置、複写機、これらの複合機における画像読取装置の、高精度が要求される光学モジュールの部品の締結に適用される他、その他の高精度の締結が要求される被締結部品材締結に広く適用できることは勿論である。
【図面の簡単な説明】
【００２８】
【図１】本発明の実施の形態による締結用部材の構造を示す図である。
【図２】本発明の実施の形態による締結用部材を用いた光学モジュールの一方向からの斜視図である。
【図３】本発明の実施の形態による締結用部材を用いた光学モジュールの他方向からの斜視図である。
【図４】本発明の実施の形態による締結用部材を用いた光学モジュールの上面図である。
【図５】本発明の実施の形態による締結用部材を用いた光学モジュールの背面図である。
【図６】本発明の実施の形態による締結用部材を用いた場合の仮止め状態を示す図である。
【図７】画像読取装置の概略縦断面図である。
【図８】図７の一部拡大図である。
【図９】従来技術を説明するための側面図である。
【図１０】従来技術を説明するための背面図である。
【符号の説明】
【００２９】
１  光学モジュール
２  光源
３  レンズユニット
４  原稿面
５  反射光
６  原稿ガラス
７  ミラー
８  レンズ
９  ＣＣＤ
１０  ＣＣＤ基板
１１  光
１２  締結用部材
１３  ネジ
１４  ＣＣＤカバー
１５  ＣＣＤプレート
１６  レンズプレート
１７  レンズ押え
１９  鈍角屈曲部
２０  接着剤挿入穴
２１  ネジ挿通穴
２２，２３  立ち上げ部
２４  直角屈曲部
【図１】
2008095783.tif 000003
【図２】
2008095783.tif 000004
【図３】
2008095783.tif 000005
【図４】
2008095783.tif 000006
【図５】
2008095783.tif 000007
【図６】
2008095783.tif 000008
【図７】
2008095783.tif 000009
【図８】
2008095783.tif 000010
【図９】
2008095783.tif 000011
【図１０】
2008095783.tif 000012